(57)【要約】  治療有効量の活性薬剤を含む組成物と、亜鉛化合物と、マイクロニードルのアレイとを備える医療デバイスを開示する。亜鉛化合物は、亜鉛、医薬として許容される亜鉛の塩、及びそれらの混合物からなる群から選択することができる。組成物の少なくとも一部は、マイクロニードルの少なくとも一部の上のコーティングとして存在する。本開示の組成物を使用して治療活性薬剤を哺乳動物に送達する方法も含まれる。
2018531697.tif 000002
【特許請求の範囲】
【請求項１】
治療有効量の活性薬剤を含む組成物と、
亜鉛、医薬として許容される亜鉛の塩、及びそれらの混合物からなる群から選択される亜鉛化合物と、
マイクロニードルのアレイとを備え、
前記組成物の少なくとも一部が前記マイクロニードルの少なくとも一部の上のコーティングとして存在する、医療デバイス。
【請求項２】
前記亜鉛化合物が、亜鉛の無機塩を含む、請求項１に記載の医療デバイス。
【請求項３】
前記亜鉛化合物が、亜鉛の二価塩を含む、請求項１又は２に記載の医療デバイス。
【請求項４】
前記亜鉛化合物が、塩化亜鉛又は酢酸亜鉛を含む、請求項１〜３のいずれか一項に記載の医療デバイス。
【請求項５】
亜鉛化合物の、活性薬に対するモル比が、０．１〜２．０である、請求項１〜４のいずれか一項に記載の医療デバイス。
【請求項６】
亜鉛化合物の、活性薬に対するモル比が、０．２〜１．５である、請求項１〜５のいずれか一項に記載の医療デバイス。
【請求項７】
亜鉛化合物の、活性薬に対するモル比が、０．２５〜１．０である、請求項１〜６のいずれか一項に記載の医療デバイス。
【請求項８】
前記活性薬剤が、タンパク質又はペプチドである、請求項１〜７のいずれか一項に記載の医療デバイス。
【請求項９】
前記活性薬剤が、ヒト成長ホルモン（ｈＧＨ）、組織プラスミノーゲン活性化因子（ＴＰＡ）、カルシトニン遺伝子関連ペプチド（ＣＧＲＰ）、黄体形成ホルモン放出ホルモン（ＬＨＲＨ）、ＬＨＲＨ類似体（例えばゴセレリン、ロイプロリド、ブセレリン、トリプトレリン）、ゴナドレリン及びナプファレリン、メノトロピン（卵胞刺激ホルモン（ＦＳＨ）及び黄体形成ホルモン（ＬＨ））、ヒト閉経期ゴナドトロピン（ｈＭＧ）、ヒト絨毛性ゴナドトロピン（ｈＣＧ）、バソプレシン、デスモプレシン、インスリン、副腎皮質刺激ホルモン（ＡＣＴＨ）、ＡＣＴＨ類似体、例えばＡＣＴＨ（１−２４）、カルシトニン、パラチロイドホルモン（ＰＴＨ）、パラチロイドホルモン拮抗剤、パラチロイドホルモン関連タンパク質（ＰＴＨｒＰ）、オキシトシン、デアミノ［Ｖａｌ４，Ｄ−Ａｒｇ８］アルギニンバソプレシン、インターフェロンα、インターフェロンβ、インターフェロンγ、腫瘍壊死因子（ＴＮＦ）、エリスロポエチン（ＥＰＯ）、顆粒球マクロファージコロニー刺激因子（ＧＭ−ＣＳＦ）、顆粒球コロニー刺激因子（Ｇ−ＣＳＦ）、インターロイキン、ＩＬ−２（ＩＬ−２）、インターロイキン−１０（ＩＬ−１０）、グルカゴン及び成長ホルモン放出因子（ＧＲＦ）からなる群から選択される、請求項１〜７のいずれか一項に記載の医療デバイス。
【請求項１０】
前記組成物の５０重量％よりも多くが、前記マイクロニードル上のコーティングとして存在する、請求項１〜９のいずれか一項に記載の医療デバイス。
【請求項１１】
前記組成物の７５重量％よりも多くが、前記マイクロニードル上のコーティングとして存在する、請求項１〜１０のいずれか一項に記載の医療デバイス。
【請求項１２】
前記組成物の９０重量％よりも多くが、前記マイクロニードル上のコーティングとして存在する、請求項１〜１１のいずれか一項に記載の医療デバイス。
【請求項１３】
治療活性薬剤を哺乳動物に送達する方法であって、請求項１〜１２のいずれか一項に記載のデバイスを前記哺乳動物の皮膚表面に適用すること、前記デバイスを前記皮膚とある時間接触させて前記活性薬剤の一部を前記哺乳動物の前記皮膚内に移行させること、及び続いて前記哺乳動物から前記デバイスを取り外すことを含む、方法。
【請求項１４】
前記哺乳動物において達成されるＣｍａｘが、亜鉛化合物を含まない組成物を有する同様のデバイスを前記哺乳動物に前記ある時間適用した場合に達成されるＣｍａｘよりも大きい、請求項１３に記載の治療活性薬剤を哺乳動物に送達する方法。
【請求項１５】
前記哺乳動物において達成されるＡＵＣが、亜鉛化合物を含まない組成物を有する同様のデバイスを前記哺乳動物に前記ある時間適用した場合に達成されるＣｍａｘよりも大きい、請求項１３又は１４に記載の治療活性薬剤を哺乳動物に送達する方法。
【請求項１６】
前記活性薬剤が、ＰＴＨｒＰ類似体ではない、請求項１〜１５のいずれか一項に記載の医療デバイス又は方法。
【発明の詳細な説明】
【技術分野】
【０００１】
本開示は、有用な組成物を有するマイクロニードルアレイに関する。本開示は、治療活性薬剤を、哺乳動物に、コーティングされたマイクロニードルアレイで送達する方法にも関する。
【背景技術】
【０００２】
たとえ認可された化学的促進剤を使用しても、実証された治療的価値のある分子はほんの少数しか皮膚を介して移送され得ない。皮膚を介した分子移送の主な障壁は、角質層（皮膚の最も外側の層）である。
【０００３】
マイクロニードル又はマイクロピンと呼ばれることもある比較的小さな構造のアレイを含む装置は、皮膚及び他の表面を通じた治療薬及び他の物質の送達に関連して使用するために開示されてきた。デバイスは、通常、治療薬及びその他の薬物が角質層を通過してその下の組織内に至ることができるようにその層を貫通させるべく、皮膚に対して押し付けられる。
【０００４】
それを通して治療物質が皮膚に送達され得る流体リザーバ及び導管を有するマイクロニードルデバイスが提案されてきたが、このような系に伴ういくつもの困難さ、例えば流体流れのために確実に使用され得る極細の通路を作製する能力の困難さが残る。
【０００５】
マイクロニードルアレイの表面上に乾燥したコーティングを有するマイクロニードルデバイスは、流体リザーバデバイスと比べ、望ましい特徴を有する。このデバイスは、概して、より単純であり、マイクロニードルデバイス内の極細の通路を通る流体流れの確実な制御を提供する必要性なしに、治療物質を皮膚内へ直接導入することができる。
【０００６】
コーティングされたマイクロニードルデバイスは、通常、治療物質を、皮内空間内に送達し、少なくともいくつかの事例で、皮内送達で得られる薬物動態プロファイルが、皮下経路及び静脈内経路などの他の送達経路とは異なる場合があることが知られている。
【発明の概要】
【０００７】
一実施形態では、本開示は、治療有効量の活性薬剤を含む組成物と、亜鉛、医薬として許容される亜鉛の塩、及びそれらの混合物からなる群から選択される亜鉛化合物と、マイクロニードルのアレイとを備える医療デバイスである。組成物の少なくとも一部は、マイクロニードルの少なくとも一部の上のコーティングとして存在する。
【０００８】
一実施形態では、本開示は、治療活性薬剤を哺乳動物に送達する方法であって、本開示のデバイスを哺乳動物の皮膚表面に適用すること、デバイスを皮膚とある時間接触させて活性薬剤の一部を哺乳動物の皮膚内に移行させること、及び続いて哺乳動物からデバイスを取り外すことを含む、方法である。
【図面の簡単な説明】
【０００９】
本開示は、本開示の様々な実施形態の以下の発明を実施するための形態を、添付の図面と共に検討することにより、更に完全に理解することができる。
【図１】未コーティングのマイクロニードルアレイの概略的断面図である。
【図２】貼付剤のマイクロニードルデバイスの概略斜視図である。  これらの図は、必ずしも一定の比率の縮尺ではない。これらの図中に用いられる同じ数字は、同じ構成要素を示す。しかしながら、特定の図中のある構成要素を示す数字の使用が、同じ数字を付した別の図中の構成要素を限定しようとするものではないことが理解されるであろう。
【図３】血漿ＰＴＨ濃度／Ｃｍａｘ対時間のグラフである。
【図４】血漿ｒｈＧＨ濃度／Ｃｍａｘ対時間のグラフである。
【発明を実施するための形態】
【００１０】
以下の記載において、本明細書の一部を構成する添付の図面を参照し、いくつかの特定の実施形態を例として示す。本開示の範囲又は趣旨から逸脱することなく、他の実施形態が想定され、かつ実施され得ることを理解されたい。したがって、以下の発明を実施するための形態は、限定的な意味では解釈しないものとする。
【００１１】
本明細書で用いる全ての科学用語及び技術用語は、特に明記しない限り、当該技術で通常用いられる意味を有する。本明細書で与えられる定義は、本明細書で頻繁に用いる特定の用語の理解を助けるためのものであり、本開示の範囲を限定することを意図するものではない。
【００１２】
本明細書及び添付の特許請求の範囲で用いる場合、単数形「ａ」、「ａｎ」及び「ｔｈｅ」は、内容から別の判断が明らかでない限り、複数の指示対象を有する実施形態を包含する。本明細書及び添付の特許請求の範囲で用いる場合、用語「又は」は、内容から別の判断が明らかでない限り、「及び／又は」を含む意味で概して用いられる。
【００１３】
本明細書に開示される組成物は、少なくとも１種の医薬有効成分（本明細書では「ＡＰＩ」又は活性薬剤と称する）、及び亜鉛化合物を含む賦形剤を含む。一実施形態では、亜鉛化合物は、亜鉛、医薬として許容される亜鉛の塩、及びそれらの混合物からなる群から選択することができる。
【００１４】
一実施形態では、亜鉛化合物は、亜鉛の無機塩を含む。好適な亜鉛の無機塩としては、例えば塩化亜鉛が挙げられる。一実施形態では、亜鉛化合物は、塩化亜鉛を含む。
【００１５】
一実施形態では、亜鉛化合物は、塩化亜鉛から本質的になる。塩化亜鉛から本質的になるということは、本開示の亜鉛化合物が、最小量の亜鉛、又は亜鉛の他の塩を、これらの最小量が、以下で詳細に記載されるＣｍａｘ及びＡＵＣなどの薬物動態パラメータへの効果などの、組成物の機能特性に検出可能な効果を有していない程度まで、含有してもよいことを意味する。塩化亜鉛以外の化合物が最小量のみ存在する場合に、例えば総ての亜鉛化合物の９９重量％以上が塩化亜鉛である場合に、亜鉛化合物は塩化亜鉛から本質的になることが理解されるべきである。一実施形態では、亜鉛化合物は、塩化亜鉛からなる。
【００１６】
一実施形態では、亜鉛化合物の９０重量％以上が、塩化亜鉛として存在する。一実施形態では、亜鉛化合物の９５重量％以上が、塩化亜鉛として存在する。一実施形態では、亜鉛化合物の９８重量％以上が、塩化亜鉛として存在する。一実施形態では、亜鉛化合物の９９重量％以上が、塩化亜鉛として存在する。
【００１７】
一実施形態では、亜鉛化合物は、亜鉛の有機塩を含む。好適な亜鉛の有機塩には、例えば酢酸亜鉛が挙げられる。一実施形態では、亜鉛化合物は、酢酸亜鉛を含む。
【００１８】
一実施形態では、亜鉛化合物は、酢酸亜鉛から本質的になる。酢酸亜鉛から本質的になるということは、本開示の亜鉛化合物が、最小量の亜鉛、又は亜鉛の他の塩を、これらの最小量が、以下で詳細に記載されるＣｍａｘ及びＡＵＣなどの薬物動態パラメータへの効果などの、組成物の機能特性に検出可能な効果を有していない程度まで、含有してもよいことを意味する。酢酸亜鉛以外の化合物が最小量のみ存在する場合に、例えば総ての亜鉛化合物の９９重量％以上が酢酸亜鉛である場合に、亜鉛化合物は酢酸亜鉛から本質的になることが理解されるべきである。一実施形態では、亜鉛化合物は、酢酸亜鉛からなる。
【００１９】
一実施形態では、亜鉛化合物の９０重量％以上が、酢酸亜鉛として存在する。一実施形態では、亜鉛化合物の９５重量％以上が、酢酸亜鉛として存在する。一実施形態では、亜鉛化合物の９８重量％以上が、酢酸亜鉛として存在する。一実施形態では、亜鉛化合物の９９重量％以上が、酢酸亜鉛として存在する。
【００２０】
一実施形態では、亜鉛化合物は、亜鉛の二価塩を含む。好適な亜鉛の二価塩には、塩化亜鉛及び酢酸亜鉛が挙げられる。
【００２１】
一実施形態では、亜鉛化合物は、亜鉛の二価塩から本質的になる。亜鉛の二価塩から本質的になるということは、本開示の亜鉛化合物が、最小量の亜鉛、又は亜鉛の非二価塩を、これらの最小量が、以下で詳細に記載されるＣｍａｘ及びＡＵＣなどの薬物動態パラメータへの効果などの、組成物の機能特性に検出可能な効果を有していない程度まで、含有してもよいことを意味する。亜鉛の二価塩以外の化合物が最小量のみ存在する場合に、例えば総ての亜鉛化合物の９９重量％以上が亜鉛の二価塩である場合に、亜鉛化合物は亜鉛の二価塩から本質的になることが理解されるべきである。一実施形態では、亜鉛化合物は、亜鉛の二価塩からなる。
【００２２】
一実施形態では、亜鉛化合物の９０重量％以上が、亜鉛の二価塩として存在する。一実施形態では、亜鉛化合物の９５重量％以上が、亜鉛の二価塩として存在する。一実施形態では、亜鉛化合物の９８重量％以上が、亜鉛の二価塩として存在する。一実施形態では、亜鉛化合物の９９重量％以上が、亜鉛の二価塩として存在する。
【００２３】
一実施形態では、亜鉛化合物の、ＡＰＩに対するモル比は、０．１よりも大きく、０．２よりも大きく、又は０．２５よりも大きい。一実施形態では、亜鉛化合物の、ＡＰＩに対するモル比は、２．０よりも小さく、１．５よりも小さく、又は１．０よりも小さい。一実施形態では、亜鉛化合物の、ＡＰＩに対するモル比は、０．１〜２．０である。一実施形態では、亜鉛化合物の、ＡＰＩに対するモル比は、０．２〜１．５である。一実施形態では、亜鉛化合物の、ＡＰＩに対するモル比は、０．２５〜１．０である。一実施形態では、亜鉛化合物の、ＡＰＩに対するモル比は、約０．５である。一実施形態では、亜鉛化合物の、ＡＰＩに対するモル比は、約０．７５である。一実施形態では、亜鉛化合物の、ＡＰＩに対するモル比は、約１．０である。
【００２４】
実施形態では、亜鉛化合物の量は、組成物の総重量の０．５％よりも多く、１％よりも多く、又は２％よりも多い。実施形態では、亜鉛化合物の量は、組成物の総重量の１０％よりも少なく、８％よりも少なく、又は６％よりも少ない。一実施形態では、亜鉛化合物の量は、組成物の総重量の０．５〜１０％である。一実施形態では、亜鉛化合物の量は、組成物の総重量の１〜８％である。一実施形態では、亜鉛化合物の量は、組成物の総重量の２〜６％である。一実施形態では、亜鉛化合物の量は、組成物の総重量の約３％である。一実施形態では、亜鉛化合物の量は、組成物の総重量の約４％である。一実施形態では、亜鉛化合物の量は、組成物の総重量の約５％である。
【００２５】
少なくとも１種のＡＰＩは、任意の薬理学的に活性な構成成分を概して含む。少なくとも１種のＡＰＩとしては、ワクチン、ホルモン、タンパク質、ペプチド、リポタンパク質、糖タンパク質、多糖、リポ多糖、オリゴ糖、糖脂質、ポリヌクレオチド配列、ＤＮＡワクチン、及びセフトリアキソンなどの抗生物質が挙げられる。一実施形態では、ＡＰＩは、ホルモン、タンパク質、ペプチド、リポタンパク質、糖タンパク質、多糖、リポ多糖、オリゴ糖、糖脂質、ポリヌクレオチド配列、及び抗生物質からなる群から選択される。一実施形態では、ＡＰＩは、タンパク質又はペプチドである。
【００２６】
少なくとも１種のＡＰＩは、受動的経皮送達により送達する以外では難しいことがある又は不可能なことがある小分子でもあることができる。そのような分子の例としては、イオン分子、例えばビスホスホネート、例えばアレンドロン酸ナトリウム又はパムドロン酸ナトリウムが挙げられ、かつ受動的経皮送達を妨げる物理化学特性を有する分子、例えばナルトレキソン及びリドカインが挙げられる。
【００２７】
少なくとも１種のＡＰＩとしては、皮膚科治療のための薬剤、ワクチン送達剤、又はワクチンアジュバントを有する免疫応答の促進剤も挙げられる。好適なワクチンの例としては、ＤＮＡワクチン、樹枝状細胞ワクチンなどの細胞性ワクチン、組み換えタンパクワクチン、治療用がんワクチン、炭疽病ワクチン、インフルエンザワクチン、ライム病ワクチン、狂犬病ワクチン、麻疹ワクチン、おたふく風邪ワクチン、水痘ワクチン、天然痘ワクチン、肝炎ワクチン、Ａ型肝炎ワクチン、Ｂ型肝炎ワクチン、Ｃ型肝炎ワクチン、百日咳ワクチン、風疹ワクチン、ジフテリアワクチン、脳炎ワクチン、日本脳炎ワクチン、呼吸器合胞体ウイルスワクチン、黄熱病ワクチン、ポリオワクチン、ヘルペスワクチン、ヒトパピローマウイルスワクチン、ロタウイルスワクチン、肺炎球菌ワクチン、髄膜炎ワクチン、百日咳ワクチン、破傷風ワクチン、腸チフスワクチン、コレラワクチン、結核ワクチン、重症急性呼吸器症候群（severe acute respiratory syndrome、ＳＡＲＳ）ワクチン、ＨＳＶ−１ワクチン、ＨＳＶ−２ワクチン、ＨＩＶワクチン、及びそれらの組み合わせが挙げられる。したがって、用語「ワクチン」は、タンパク質、ペプチド、リポタンパク質、糖タンパク質、多糖、リポ多糖類、オリゴ糖、糖脂質、ポリヌクレオチド配列、弱毒化又は死滅ウイルス、ウイルス粒子、ウイルス様粒子、弱毒化又は死滅細菌、細菌細胞壁、トキソイド、及びネコアレルゲン、塵アレルゲン、又は花粉アレルゲンなどの減感剤の形態の抗原を含む。好適なワクチン及びワクチンアジュバントの更なる例は、米国特許出願公開第２００４／００４９１５０号、同第２００４／０２６５３５４号、及び同第２００６／０１９５０６７号に記載されており、それらの開示内容は、参照により本明細書に組み込まれる。
【００２８】
ワクチンであるＡＰＩを含む実施形態では、水性調合物は、１種以上のアジュバントも任意選択で含むことができる。アジュバントは、別の薬剤（この場合、ワクチンＡＰＩ）の効果を修正する薬剤である。アジュバントは、多くの場合、受容者のワクチンに対する免疫応答を高めるために利用される。アジュバントの特定の由来（identity）は、ＡＰＩワクチンの由来に少なくとも部分的に依存する。アジュバントとしては、リン酸アルミニウム、リン酸アルミニウムゲル、水酸化アルミニウム、スクアレン、β−グルカン、ＣｐＧ含有オリゴヌクレオチド、ＱＳ−２１、グルコサミニルムラミルジペプチド（glucosaminylmuramyl dipeptide、ＧＭＤＰ）、ムラメチド、ジメチルジオクタデシルアンモニウムブロミド（dimethyldioctadecylammonium bromide、ＤＤＡ）、Ｑｕｉｌ  Ａ、スレオニル−ムラミルジペプチド（threonyl−muramyl dipeptide、threonyl−MDP）、ＭＴＰ−ＰＥ、ＭＴＰ−ＰＥリポソーム、４−アミノ−イミダゾ［４，５−ｃ］キノリンベースの免疫応答修正化合物、４−アミノ［１，３］チアゾロ［４，５−ｃ］キノリンベースの免疫応答修正化合物、ＴＬＲ６作動薬、ＴＬＲ７作動薬、ＴＬＲ８作動薬、ＴＬＲ９作動薬、イミキモド、レシキモド、２−プロピル［１，３］チアゾロ［４，５−ｃ］キノリン−４−アミン、ＩＬ−２、ＩＬ−４、ＩＬ−１０、ＩＬ−１２、ＩＬ−１５、ＩＬ−１８、及びそれらの組み合わせが挙げられる。
【００２９】
実施形態では、少なくとも１種のＡＰＩは、約５ｍｇよりも少ない量を投与したときに、いくつかの実施形態では約０．２５ｍｇよりも少ない量を投与したときに、薬理学的に有効である構成成分を含有する組成物又は混合物であり得る。
【００３０】
実施形態では、ＡＰＩとしては、例えば、ヒト成長ホルモン（human growth hormone、ｈＧＨ）、組織プラスミノーゲン活性化因子（tissue plasminogen activator、ＴＰＡ）、カルシトニン遺伝子関連ペプチド（calcitonin gene related peptide、ＣＧＲＰ）、黄体形成ホルモン放出ホルモン（ｌeutinizing hormone releasing hormone、ＬＨＲＨ）、ＬＨＲＨ類似体（例えばゴセレリン、ロイプロリド、ブセレリン、トリプトレリン）、ゴナドレリン及びナプファレリン、メノトロピン（卵胞刺激ホルモン（follicle stimulating hormone、ＦＳＨ）及び黄体形成ホルモン（leutinizing hormone、ＬＨ））、ヒト閉経期ゴナドトロピン（human menopausal goanadotropins、ｈＭＧ）、ヒト絨毛性ゴナドトロピン（human chorionic gonadotropin、ｈＣＧ）、バソプレシン、デスモプレシン、インスリン、副腎皮質刺激ホルモン（adrenocortiocotropic hormone、ＡＣＴＨ）、ＡＣＴＨ類似体、例えばＡＣＴＨ（１−２４）、カルシトニン、パラチロイドホルモン（parathyroid hormone、ＰＴＨ）、パラチロイドホルモン拮抗剤、パラチロイドホルモン関連タンパク質（parathyroid horomone−related protein、ＰＴＨｒＰ）、パラチロイドホルモン関連タンパク質類似体が挙げられ、これは、限定なしに、オキシトシン、デアミノ［Ｖａｌ４，Ｄ−Ａｒｇ８］アルギニンバソプレシン、インターフェロンα、インターフェロンβ、インターフェロンγ、腫瘍壊死因子（tumor necrosis factor、ＴＮＦ）、エリスロポエチン（erythropoietin、ＥＰＯ）、顆粒球マクロファージコロニー刺激因子（granulocyte macrophage colony stimulating factor、ＧＭ−ＣＳＦ）、顆粒球コロニー刺激因子（granulocyte colony stimulating factor、Ｇ−ＣＳＦ）、インターロイキン、ＩＬ−２（ＩＬ−２）、インターロイキン−１０（interleukin−10、ＩＬ−１０）、グルカゴン及び成長ホルモン放出因子（growth hormone releasing factor、ＧＲＦ）のうちの１種以上であり得る。薬剤は、様々な形態、例えば遊離塩基、酸、電荷又は非電荷の分子、分子錯体の構成成分、又は非刺激性の薬理学的に許容される塩であることができる。更に、体のｐＨ、酵素などにおいて生理学的に加水分解された、薬剤の単純な誘導体（例えばエーテル、エステル、アミドなど）を利用することができる。
【００３１】
いくつかの実施形態では、ＡＰＩはヒト成長ホルモン（ｈＧＨ）である。
【００３２】
いくつかの実施形態では、ＡＰＩは組織プラスミノーゲン活性化因子（ＴＰＡ）である。
【００３３】
いくつかの実施形態では、ＡＰＩはカルシトニン遺伝子関連ペプチド（ＣＧＲＰ）である。
【００３４】
いくつかの実施形態では、ＡＰＩは黄体形成ホルモン放出ホルモン（ＬＨＲＨ）である。
【００３５】
いくつかの実施形態では、ＡＰＩはゴセレリンである。
【００３６】
いくつかの実施形態では、ＡＰＩはロイプロリドである。
【００３７】
いくつかの実施形態では、ＡＰＩはブセレリンである。
【００３８】
いくつかの実施形態では、ＡＰＩはトリプトレリンである。
【００３９】
いくつかの実施形態では、ＡＰＩはゴナドレリンである。
【００４０】
いくつかの実施形態では、ＡＰＩはナプファレリンである。
【００４１】
いくつかの実施形態では、ＡＰＩは卵胞刺激ホルモン（ＦＳＨ）である。
【００４２】
いくつかの実施形態では、ＡＰＩは黄体形成ホルモン（ＬＨ）である。
【００４３】
いくつかの実施形態では、ＡＰＩはヒト閉経期ゴナドトロピン（ｈＭＧ）である。
【００４４】
いくつかの実施形態では、ＡＰＩはヒト絨毛性ゴナドトロピン（ｈＣＧ）である。
【００４５】
いくつかの実施形態では、ＡＰＩはバソプレシンである。
【００４６】
いくつかの実施形態では、ＡＰＩはデスモプレシンである。
【００４７】
いくつかの実施形態では、ＡＰＩはインスリンである。
【００４８】
いくつかの実施形態では、ＡＰＩは副腎皮質刺激ホルモン（ＡＣＴＨ）である。
【００４９】
いくつかの実施形態では、ＡＰＩはＡＣＴＨ類似体、例えばＡＣＴＨ（１−２４）である。
【００５０】
いくつかの実施形態では、ＡＰＩはカルシトニンである。
【００５１】
いくつかの実施形態では、ＡＰＩは副甲状腺ホルモン（ＰＴＨ）である。
【００５２】
いくつかの実施形態では、ＡＰＩは副甲状腺ホルモン拮抗薬である。
【００５３】
いくつかの実施形態では、ＡＰＩは副甲状腺ホルモン関連タンパク質（ＰＴＨｒＰ）である。
【００５４】
いくつかの実施形態では、ＡＰＩはオキシトシンである。
【００５５】
いくつかの実施形態では、ＡＰＩはデアミノ［Ｖａｌ４，Ｄ−Ａｒｇ８］アルギニンバソプレシンである。
【００５６】
いくつかの実施形態では、ＡＰＩはインターフェロンαである。
【００５７】
いくつかの実施形態では、ＡＰＩはインターフェロンβである。
【００５８】
いくつかの実施形態では、ＡＰＩはインターフェロンγである。
【００５９】
いくつかの実施形態では、ＡＰＩは腫瘍壊死因子（ＴＮＦ）である。
【００６０】
いくつかの実施形態では、ＡＰＩはエリスロポエチン（ＥＰＯ）である。
【００６１】
いくつかの実施形態では、ＡＰＩは顆粒球マクロファージコロニー刺激因子（ＧＭ−ＣＳＦ）である。
【００６２】
いくつかの実施形態では、ＡＰＩは顆粒球コロニー刺激因子（Ｇ−ＣＳＦ）である。
【００６３】
いくつかの実施形態では、ＡＰＩはインターロイキンである。
【００６４】
いくつかの実施形態では、ＡＰＩはグルカゴンである。
【００６５】
いくつかの実施形態では、ＡＰＩは成長ホルモン放出因子（ＧＲＦ）である。
【００６６】
いくつかの実施形態では、ＡＰＩとしては、例えばヒト成長ホルモン（ｈＧＨ）、組織プラスミノーゲン活性化因子（ＴＰＡ）、カルシトニン遺伝子関連ペプチド（ＣＧＲＰ）、黄体形成ホルモン放出ホルモン（ＬＨＲＨ）、ＬＨＲＨ類似体（例えばゴセレリン、ロイプロリド、ブセレリン、トリプトレリン）、ゴナドレリン及びナプファレリン、メノトロピン（卵胞刺激ホルモン（ＦＳＨ）及び黄体形成ホルモン（ＬＨ））、ヒト閉経期ゴナドトロピン（ｈＭＧ）、ヒト絨毛性ゴナドトロピン（ｈＣＧ）、バソプレシン、デスモプレシン、インスリン、副腎皮質刺激ホルモン（ＡＣＴＨ）、ＡＣＴＨ類似体、例えばＡＣＴＨ（１−２４）、カルシトニン、パラチロイドホルモン（ＰＴＨ）、パラチロイドホルモン拮抗剤、パラチロイドホルモン関連タンパク質（ＰＴＨｒＰ）、オキシトシン、デアミノ［Ｖａｌ４，Ｄ−Ａｒｇ８］アルギニンバソプレシン、インターフェロンα、インターフェロンβ、インターフェロンγ、腫瘍壊死因子（ＴＮＦ）、エリスロポエチン（ＥＰＯ）、顆粒球マクロファージコロニー刺激因子（ＧＭ−ＣＳＦ）、顆粒球コロニー刺激因子（Ｇ−ＣＳＦ）、インターロイキン、ＩＬ−２（ＩＬ−２）、インターロイキン−１０（ＩＬ−１０）、グルカゴン及び成長ホルモン放出因子（ＧＲＦ）が挙げられる。薬剤は、様々な形態、例えば遊離塩基、酸、電荷又は非電荷の分子、分子錯体の構成成分、又は非刺激性の薬理学的に許容される塩であることができる。更に、体のｐＨ、酵素などにおいて生理学的に加水分解された、薬剤の単純な誘導体（例えばエーテル、エステル、アミドなど）を利用することができる。
【００６７】
いくつかの実施形態では、活性薬は副甲状腺ホルモン関連タンパク質類似体ではない。
【００６８】
組成物は、更なる構成成分、例えば第２の（又は二次的な）ＡＰＩ、第２の（又は二次的な）賦形剤、本明細書で示されていない構成成分、又はそれらの何らかの組み合わせも含むことができる。
【００６９】
更なる賦形剤は、例えばＡＰＩの有効特性を維持するために、調合物又はそれらの組み合わせのコーティング性能を促進するために、機能することができる。利用される特定の賦形剤は、組成物中に含まれる特定のＡＰＩ（単数又は複数）に少なくとも部分的に依存し得る。
【００７０】
例示的な賦形剤としては、例えば、緩衝剤、炭水化物、ポリマー、アミノ酸、ポリアミノ酸、界面活性剤、タンパク質、非水性溶媒、無機塩類、酸、塩基、抗酸化剤、及びサッカリンが挙げられる。
【００７１】
実施形態では、開示している組成物は、賦形剤として、少なくとも１種の緩衝剤を任意選択で含むことができる。緩衝剤は、開示している組成物を調製するために使用され得る水性調合物のｐＨを安定化するために概して機能する。利用される特定の緩衝剤は、水性調合物に含まれる特定のＡＰＩ（単数又は複数）に少なくとも部分的に依存し得る。水性調合物のｐＨは、例えば、ＡＰＩの溶解度を所望のレベルに維持するために重要である場合がある。一般的に、任意の通常利用される緩衝剤を、開示している水性調合物及び組成物中で使用することができる。
【００７２】
例示的な緩衝剤としては、例えば、ヒスチジン、リン酸塩緩衝剤、酢酸塩緩衝剤、クエン酸塩緩衝剤、グリシン緩衝剤、酢酸アンモニウム緩衝剤、コハク酸塩緩衝剤、ピロリン酸塩緩衝剤、トリス酢酸（ＴＡ）緩衝剤、及びトリス緩衝剤が挙げられる。緩衝生理食塩溶液は、緩衝剤としても利用することができる。例示的な緩衝生理食塩溶液としては、例えば、リン酸緩衝生理食塩水（phosphate buffered saline、ＰＢＳ）、トリス緩衝生理食塩水（Tris buffered saline、ＴＢＳ）、生理食塩水酢酸ナトリウム緩衝液（saline−sodium acetate buffer、ＳＳＡ）、生理食塩水クエン酸ナトリウム緩衝液（saline−sodium citrate buffer、ＳＳＣ）が挙げられる。実施形態では、ＰＢＳを緩衝剤として利用することができる。
【００７３】
実施形態では、組成物は、少なくとも１種の炭水化物、例えば糖を任意選択で含むことができる。好適な糖としては、例えば、ラフィノース、スタキオース、スクロース、及びトレハロースなどの非還元糖、並びに単糖類及び二糖類などの還元糖が挙げられる。例示的な単糖類としては、アピオース、アラビノース、ジギトキソース、フコース、フルクトース、ガラクトース、グルコース、グロース、ハマメロース、イドース、リキソース、マンノース、リボース、タガトース、及びキシロースが挙げられる。例示的な二糖類としては、例えば、セロビオース、ゲンチオビオース、ラクトース、ラクツロース、マルトース、メリビオース、プリメベロース、ルチノース、シラビオース、ソホロース、ツラノース、及びビシアノースが挙げられる。実施形態では、ショ糖、トレハロース、フルクトース、マルトース、又はそれらの組み合わせを利用することができる。例示された糖類の全ての光学異性体（Ｄ、Ｌ、及びラセミ混合物）も、本明細書に含まれる。
【００７４】
実施形態では、組成物は、少なくとも１種の炭水化物、例えば多糖を任意選択で含むことができる。多糖類としては、例えばデンプン、例えば、ヒドロキシエチルデンプン、α化コーンスターチ、ペンタスターチ、デキストリン、デキストラン又は硫酸デキストラン、γ−シクロデキストリン、α−シクロデキストリン、β−シクロデキストリン、グルコシル−α−シクロデキストリン、マルトシル−α−シクロデキストリン、グルコシル−β−シクロデキストリン、マルトシル−β−シクロデキストリン、２−ヒドロキシ−β−シクロデキストリン、２−ヒドロキシプロピル−β−シクロデキストリン、２−ヒドロキシプロピル−γ−シクロデキストリン、ヒドロキシエチル−β−シクロデキストリン、メチル−β−シクロデキストリン、スルホブチルエーテル−α−シクロデキストリン、スルホブチルエーテル−β−シクロデキストリン、及びスルホブチルエーテル−γ−シクロデキストリンが挙げられる。実施形態では、ヒドロキシエチルデンプン、デキストリン、デキストラン、γ−シクロデキストリン、β−シクロデキストリン、又はそれらの組み合わせを利用することができる。実施形態では、３５，０００〜７６，０００の平均分子量を有するデキストランを利用することができる。
【００７５】
実施形態では、組成物は、少なくとも１種の炭水化物、例えばセルロースを任意選択で含むことができる。適切なセルロースとしては、例えば、ヒドロキシエチルセルロース（hydroxyethyl cellulose、ＨＥＣ）、メチルセルロース（methyl cellulose、ＭＣ）、微結晶セルロース、ヒドロキシプロピルメチルセルロース（hydroxypropyl methyl cellulose、ＨＰＭＣ）、ヒドロキシエチルメチルセルロース（hydroxyethylmethyl cellulose、ＨＥＭＣ）、ヒドロキシプロピルセルロース（hydroxypropyl cellulose、ＨＰＣ）、及びそれらの混合物が挙げられる。
【００７６】
実施形態では、組成物は、少なくとも１種のポリマー、例えば、ポリビニルピロリドン（polyvinyl pyrrolidone、ＰＶＰ）、ポリエチレングリコール（polyethylene glycol、ＰＥＧ）、ポリビニルアルコール（polyvinyl alcohol、ＰＶＡ）、及びポリエチレングリコールイソステアリン酸ソルビタンを任意選択で含むことができる。実施形態では、１０，０００の平均分子量を有するポリビニルピロリドン（ＰＶＰ）を利用することができる。実施形態では、５，０００〜１，５００，０００の平均分子量を有するポリビニルピロリドン（ＰＶＰ）を利用することができる。実施形態では、３００〜８，０００の平均分子量を有するポリエチレングリコールを利用することができる。
【００７７】
実施形態では、組成物は、少なくとも１種のアミノ酸を任意選択で含むことができる。適切なアミノ酸としては、例えば、リジン、ヒスチジン、システイン、グルタミン酸塩、リジン酢酸塩、サルコシン、プロリン、トレオニン、アスパラギン、アスパラギン酸、グルタミン酸、グルタミン、イソロイシン、ロイシン、メチオニン、フェニルアラニン、血清トリプトファン、チロシン、バリン、アラニン、アルギニン、及びグリシンが挙げられる。多くの場合、アミノ酸の塩の形態を、組成物中のアミノ酸の水溶解度を増加するために使用することができる。好ましい実施形態では、組成物は、ヒスチジンを含む。
【００７８】
実施形態では、組成物は、少なくとも１種のポリアミノ酸を任意選択で含むことができる。好適なポリアミノ酸としては、例えば、ポリヒスチジン、ポリアスパラギン酸、及びポリリジンが挙げられる。実施形態では、組成物は、少なくとも１種のタンパク質を含むことができる。適切なタンパク質としては、例えば、ヒト血清アルブミン、及び生物工学的に処理されたヒトアルブミンが挙げられる。
【００７９】
実施形態では、組成物は、両性、カチオン性、アニオン性、又は非イオン性であり得る少なくとも１種の界面活性剤を任意選択で含むことができる。好適な界面活性剤としては、例えば、レシチン、ポリソルベート（例えば、ポリソルベート２０、ポリソルベート４０、及びポリソルベート８０など）、グリセロール、ラウロアンホ酢酸ナトリウム、硫酸ドデシルナトリウム、塩化セチルピリジニウム（cetylpyridinium chloride、ＣＰＣ）、ドデシルトリメチル塩化アンモニウム（dodecyltrimethyl ammonium chloride、ＤｏＴＡＣ）、デオキシコール酸ナトリウム、塩化ベンザルコニウム、ラウリン酸ソルビタン、及びアルコキシル化アルコール（ラウレス−４など）が挙げられる。
【００８０】
実施形態では、組成物は、少なくとも１種の非亜鉛含有無機塩を任意選択で含むことができる。適切な無機塩としては、例えば、塩化ナトリウム、及び塩化カリウムが挙げられる。
【００８１】
実施形態では、組成物は、サッカリン、例えばサッカリンナトリウム二水和物を任意選択で含むことができる。実施形態では、組成物は、脂質、例えばジパルミトイルホスファチジルコリン（dipalmitoylphosphatidylcholine、ＤＰＰＣ）を任意選択で含むことができる。
【００８２】
実施形態では、組成物は、少なくとも１種の弱酸、弱塩基、強酸、強塩基、又はそれらの何らかの組み合わせを任意選択で含むことができる。酸及び塩基は、ＡＰＩを可溶化させる又は安定化させるという目的に役立つことができる。これらの酸及び塩基は、対イオンと称することができる。これらの酸及び塩基は、有機又は無機とすることができる。例示的な弱酸としては、例えば、酢酸、プロピオン酸、ペンタン酸、クエン酸、コハク酸、グリコール酸、グルコン酸、グルクロン酸、乳酸、リンゴ酸、ピルビン酸、酒石酸、タルトロン酸、フマル酸、グルタミン酸、アスパラギン酸、マロン酸、酪酸、クロトン酸、ジグリコール酸、及びグルタル酸が挙げられる。例示的な強酸としては、例えば、塩酸、臭化水素酸、硝酸、スルホン酸、硫酸、マレイン酸、リン酸、ベンゼンスルホン酸、及びメタンスルホン酸が挙げられる。例示的な弱塩基としては、例えば、アンモニア、モルホリン、ヒスチジン、リジン、アルギニン、モノエタノールアミン、ジエタノールアミン、トリエタノールアミン、トロメタミン、メチルグルカミン、及びグルコサミンが挙げられる。例示的な強塩基としては、例えば、水酸化ナトリウム、水酸化カリウム、水酸化カルシウム、及び水酸化マグネシウムが挙げられる。
【００８３】
実施形態では、組成物は、少なくとも１つの抗酸化剤を含むことができる。好適な抗酸化剤としては、例えば、クエン酸ナトリウム、クエン酸、ＥＤＴＡ、アスコルビン酸、メチオニン、アスコルビン酸ナトリウム、及びそれらの組み合わせが挙げられる。
【００８４】
開示される組成物内の各種構成成分の量は、組成物中の構成成分の由来（identity）、マイクロニードルアレイ上に所望されるＡＰＩの量、組成物中に存在する亜鉛化合物の量、コーティングされるマイクロニードルアレイの種類、本明細書に記載されない他の考慮事項、又はそれらの何らかの組み合わせに依存して変化し得る。
【００８５】
組成物は、組成物中のＡＰＩの量に基づいても特徴付けることができる。実施形態では、開示される組成物は、０．０１〜８０重量％の少なくとも１種のＡＰＩ、又は０．１〜７０重量％の少なくとも１種のＡＰＩを有することができる。任意選択の炭水化物が利用される実施形態では、組成物は、組成物中の炭水化物の量に基づいても特徴付けることができる。実施形態では、開示される組成物は、０〜８０重量％の少なくとも１種の炭水化物、又は５〜７０重量％の少なくとも１種の炭水化物を有することができる。任意選択のポリマーが利用される組成物では、組成物は、組成物中のポリマーの量に基づいても特徴付けることができる。実施形態では、開示される組成物は、０〜５０重量％の少なくとも１種のポリマー、又は１〜２０重量％の少なくとも１種のポリマーを有することができる。任意選択の界面活性剤が利用される組成物では、組成物は、組成物中の界面活性剤の量に基づいても特徴付けることができる。実施形態では、開示される組成物は、０〜１０重量％の少なくとも１種の界面活性剤、又は０〜５重量％の少なくとも１種の界面活性剤を有することができる。
【００８６】
本明細書で開示の組成物は、通常、液状調合物をマイクロニードルアレイ上にコーティングし、次いで液状調合物を乾燥させてマイクロニードルアレイ上に乾燥した組成物を残すことにより調製される。液状調合物は、コーティング調合物とも称することができる。本明細書で開示のコーティング調合物は、調合物の様々な特性によっても更に説明することができる。コーティング調合物を更に説明するために利用することができる例示的な特性としては、例えば、コーティング調合物の粘度、コーティング調合物の表面張力、コーティング調合物のマイクロニードル材料を構成する材料上での接触角、又はそれらの何らかの組み合わせが挙げられる。
【００８７】
本明細書で開示のコーティング調合物は、溶媒として水を含むことが多く、水性調合物とも称されることがある。一般的に、コーティング調合物中の溶媒組成物は、それが医薬有効成分及び賦形剤を溶解できる又は分散できるように選択される。本明細書で開示の水性調合物は、水に加えて、共溶媒も含むことができる。実施形態では、水性調合物は、エタノール、イソプロパノール、メタノール、プロパノール、ブタノール、プロピレングリコール、ジメチルスルホキシド、グリセリン、１−メチル−２−ピロリジノン、又はＮ，Ｎ−ジメチルホルムアミドなどの更なる溶媒（共溶媒とも称される）を任意選択で含むことができる。
【００８８】
実施形態では、コーティング調合物は、その粘度により更に特徴付けることができる。一般的に、粘度は、剪断応力又は引張り応力のいずれかによって変形される流体の、抵抗の測定値である。実施形態では、開示されるコーティング調合物は、水性調合物の剪断粘度とも称することができる、剪断応力による変形に対する抵抗によって特徴付けることができる。粘度試験のために、レオメータを含む様々な測定器を使用することができる。実施形態では、コーティング調合物の粘度は、レオメータ、例えばＴＡ  Ｉｎｓｔｒｕｍｅｎｔｓ（Ｎｅｗ  Ｃａｓｔｌｅ，ＤＥ）製のレオメータを使用して測定することができる。
【００８９】
実施形態では、本明細書で開示のコーティング調合物は、２５℃の温度で１００ｓ−１の剪断速度で測定した場合に５００〜３０，０００センチポアズ（ｃｐｓ）の粘度（又は剪断粘度）を有することができる。実施形態では、本明細書で開示のコーティング調合物は、２５℃の温度で１００ｓ−１の剪断速度で測定した場合に５００〜１０，０００ｃｐｓの粘度（又は剪断粘度）を有することができる。実施形態では、本明細書で開示される組成物は、２５℃の温度で１００ｓ−１の剪断速度で測定した場合に５００〜８，０００ｃｐｓの粘度（又は剪断粘度）を有することができる。
【００９０】
実施形態では、コーティング調合物は、その表面張力により更に特徴付けることができる。様々な方法を、表面張力を測定するために利用することができる。例示的なタイプの表面張力測定は、ペンダントドロップ方法に基づく。表面張力を測定するペンダントドロップ方法では、液滴が管の端部から表面張力によって垂下される。表面張力による力は、液体と管との間の境界の長さに比例する。ここで、液滴の関連するパラメータを測定するための光学系を包含する様々な計器、及び測定されたパラメータに基づいて表面張力を計算するためのソフトウェアパッケージを使用することができる。例示的な計器としては、Ｋｒｕｓｓ（Ｈａｍｂｕｒｇ，Ｇｅｒｍａｎｙ）から入手可能なＤｒｏｐ  Ｓｈａｐｅ  Ａｎａｌｙｓｉｓ  Ｓｙｓｔｅｍ（Ｍｏｄｅｌ  ＤＳＡ  １００Ｓ）が挙げられる。
【００９１】
実施形態では、本明細書で開示のコーティング調合物は、６０ダイン／ｃｍ以下の表面張力（周囲温度条件又は室温条件で測定）を有することができる。実施形態では、本明細書で開示のコーティング調合物は、５５ダイン／ｃｍ以下の表面張力を有することができる。実施形態では、本明細書で開示のコーティング調合物は、４０ダイン／ｃｍ〜５５ダイン／ｃｍの表面張力を有することができる。
【００９２】
実施形態では、コーティング調合物は、マイクロニードルを構成する材料（「マイクロニードル材料」とも称される）とその接触角によって更に特徴付けることができる。マイクロニードル材料に関するコーティング調合物の接触角は、マイクロニードル材料で作製された水平な基材上で測定されることに留意されたい。マイクロニードル材料は、ケイ素、又はステンレス鋼、チタン、若しくはニッケルチタン合金などの金属とする（又はこれを含む）ことができる。マイクロニードル材料は、医療グレードのポリマー材料とする（又はこれを含む）こともできる。一般的に、開示されるコーティング調合物のマイクロニードル材料との接触角は、コーティング調合物のマイクロニードル材料に対する親和性の指標である。接触角が低いほど、コーティング調合物のマイクロニードル材料に対する誘引力がより強く、結果としてマイクロニードル表面の高い濡れがもたらされる。水性調合物のマイクロニードル材料上の接触角は、様々な方法を使用して測定することができる。実施形態では、水性調合物のマイクロニードル材料上の接触角は、例えば静滴法を使用して測定することができる。一般的に、接触角を測定するためには、ゴニオメータ（又はゴニオメータを使用する計器）を利用することができ、そのような計器の例は、Ｋｒｕｓｓ（Ｈａｍｂｕｒｇ，Ｇｅｒｍａｎｙ）から入手可能なＤｒｏｐ  Ｓｈａｐｅ  Ａｎａｌｙｓｉｓ  Ｓｙｓｔｅｍ（Ｍｏｄｅｌ  ＤＳＡ  １００Ｓ）である。実施形態では、接触角は、コーティング調合物の基材上への移送の５秒以内に測定することができる。
【００９３】
実施形態では、本明細書に開示のコーティング調合物は、５０°以上の、マイクロニードル材料との接触角（周囲温度条件又は室温条件で測定）を有することができる。実施形態では、本明細書に開示のコーティング調合物は、５５°以上の接触角を有することができる。実施形態では、本明細書に開示のコーティング調合物は、６５°以上の接触角を有することができる。実施形態では、本明細書に開示のコーティング調合物は、９０°以下の接触角を有することができる。実施形態では、本明細書に開示のコーティング調合物は、８０°以下の接触角を有することができる。
【００９４】
実施形態では、マイクロニードル材料は、医療グレードのポリマー材料とすることができる。医療グレードのポリマー材料の例示的なタイプとしては、例えば、ポリカーボネート、及び液晶ポリマー（本明細書では「ＬＣＰ」と称される）が挙げられる。
【００９５】
本明細書で更に開示するのは、治療活性薬剤を哺乳動物に送達する方法である。方法は、デバイスを哺乳動物の皮膚に適用する工程を含んでよく、ここで、デバイスは、本明細書で開示のマイクロニードルのアレイ及び組成物を備え、該組成物は、マイクロニードルの少なくとも一部の上のコーティングとして存在する。デバイスを、皮膚とある時間接触させて、活性薬剤の一部を哺乳動物の皮膚内に移行させる。続いて、哺乳動物からデバイスを取り外す。
【００９６】
好適な哺乳動物のいくつかの例には、ヒト、霊長類、ブタ、ネコ、イヌ、及びげっ歯類が挙げられる。いくつかの実施形態では、哺乳動物はヒトである。
【００９７】
いくつかの実施形態では、哺乳動物において達成される活性薬剤のピーク血清濃度又はＣｍａｘは、亜鉛化合物を含まない組成物を有する同様のデバイスを哺乳動物にある時間適用した場合に得られるＣｍａｘよりも大きい。つまり、亜鉛化合物を調合物に含めると、Ｃｍａｘの増加が引き起こされる。いくつかの実施形態では、Ｃｍａｘは、亜鉛化合物を含まない同様の組成物を有する同等のデバイスよりも、約１．２倍大きく、約１．５倍大きく、又は約２倍大きい。
【００９８】
いくつかの実施形態では、哺乳動物において達成される曲線下面積又はＡＵＣは、亜鉛化合物を含まない組成物を有する同様のデバイスを哺乳動物にある時間適用した場合に得られるＡＵＣよりも大きい。つまり、亜鉛化合物を調合物に含めると、ＡＵＣの増加が引き起こされる。いくつかの実施形態では、ＡＵＣは、亜鉛化合物を含まない同様の組成物を有する同等のデバイスよりも、約１．２倍大きく、約１．５倍大きく、又は約２倍大きい。
【００９９】
いくつかの実施形態では、哺乳動物において達成される活性薬剤の生物学的利用能は、亜鉛化合物を含まない組成物を有する同様のデバイスを哺乳動物にある時間適用する場合に得られる生物学的利用能よりも大きい。つまり、亜鉛化合物を調合物に含めると、生物学的利用能の増加が引き起こされる。いくつかの実施形態では、生物学的利用能は、亜鉛化合物を含まない同様の組成物を有する同等のデバイスよりも、約１．２倍大きく、約１．５倍大きく、又は約２倍大きい。
【０１００】
いくつかの実施形態では、哺乳動物において達成される活性薬剤のピーク血清濃度を実現するための時間又はＴｍａｘは、亜鉛化合物を含まない組成物を有する同様のデバイスを哺乳動物にある時間適用する場合に得られるＴｍａｘよりも大きい。つまり、亜鉛化合物を調合物に含めると、Ｔｍａｘの増加が引き起こされる。いくつかの実施形態では、Ｔｍａｘは、亜鉛化合物を含まない同様の組成物を有する同等のデバイスよりも、約１．２倍大きく、約１．５倍大きく、又は約２倍大きい。
【０１０１】
デバイスを皮膚と接触させる時間は、所望の治療結果を実現させるために使用される活性薬剤及び組成物の種類に応じて選ぶことができる。いくつかの実施形態では、デバイスは、約１秒より長く、約１０秒より長く、約３０秒より長く、約１分より長く、又は約５分より長く、皮膚と接触させる。いくつかの実施形態では、デバイスは、約６０分より短く、約３０分より短く、約１０分より短く、約５分より短く、約２分より短く、又は約１分より短く、皮膚と接触させる。いくつかの実施形態では、デバイスは、約１０秒〜１０分、約３０秒〜約５分、又は約３０秒〜約２分、皮膚と接触させる。
【０１０２】
一般に、「アレイ」は、治療薬の経皮的送達を促進するために、又は皮膚を介した流体の採取若しくは皮膚への流体の採取を促進するために、角質層を貫通することができる、１つ以上の（いくつかの実施形態では複数の）構造体を含む、本明細書に記載の医療デバイスを指す。用語「微細構造」又は「マイクロニードル」は、治療薬の経皮的送達を促進するために、又は皮膚を介した流体の採取若しくは皮膚への流体の採取を促進するために、角質層を貫通することができる、アレイと関連付けられた構造体を指す。例として、微細構造としては、針又は針状の構造、並びに角質層を貫通することができる他の構造体が挙げられる。したがって、用語「マイクロニードルアレイ」は、治療薬の経皮的送達を促進するために、又は皮膚を介した流体の採取若しくは皮膚への流体の採取を促進するために、角質層を貫通することができる、複数の構造体を指すことができる。
【０１０３】
開示された実施形態に有用なマイクロニードルアレイは、それへの参照によりその開示が本明細書に組み込まれる、以下の特許及び特許出願に説明されたものなどの、多様な構成のうちのいずれかを含む。マイクロニードルアレイに対する一実施形態は、切頭された先細の形状及び制御されたアスペクト比を有するマイクロニードルを記載する、米国特許出願公開第２００５／０２６１６３１号（これへの参照によりその開示が本明細書に組み込まれる）に開示される構造を含む。マイクロニードルアレイに対する更なる実施形態は、外側表面上に形成された少なくとも１つの通路を有する先細のマイクロニードルを記載する米国特許第６，８８１，２０３号（これへの参照によりその開示が本明細書に組み込まれる）に開示される構造を含む。マイクロニードルアレイに対する別の実施形態は、両方とも中空のマイクロニードルを記載する、米国特許仮出願第６１／１６８，２６８号（これへの参照によりその開示が本明細書に組み込まれる）及び米国特許仮出願第６１／１１５，８４０号（これへの参照によりその開示が本明細書に組み込まれる）に開示された構造を含む。
【０１０４】
一般的に、マイクロニードルアレイは、複数のマイクロニードルを含むことができる。図１は、マイクロニードル基材２２０上に位置付けられた４つのマイクロニードル２１０（図１ではそのうち２つが参照されている）を含む、マイクロニードルアレイ２００の一部分を示す。それぞれのマイクロニードル２１０は、マイクロニードル２１０の先端からマイクロニードル基材２２０までの長さである、高さｈを有する。単一のマイクロニードルの高さ又はマイクロニードルアレイ上の全てのマイクロニードルの平均高さのいずれかを、マイクロニードルの高さｈと呼ぶことができる。いくつかの実施形態では、複数のマイクロニードルのそれぞれ（又は複数のマイクロニードルの全ての平均）は、約１〜１２００マイクロメートル（μｍ）の高さを有すことができる。実施形態では、複数のマイクロニードルのそれぞれは、約１〜１０００μｍの高さを有することができる。実施形態では、複数のマイクロニードルのそれぞれは、約２００〜７５０μｍの高さを有することができる。
【０１０５】
マイクロニードルアレイ中の単一のマイクロニードル又は複数のマイクロニードルは、そのアスペクト比によって特徴付けることもできる。マイクロニードルのアスペクト比は、マイクロニードルの高さｈの、マイクロニードルの幅（マイクロニードルの基部における）ｗに対する比である（図１に示すように）。アスペクト比は、ｈ：ｗとして表すことができる。実施形態では、複数のマイクロニードルのそれぞれ（又は複数のマイクロニードルの全ての平均）は、２：１〜５：１の範囲のアスペクト比を有することができる。実施形態では、複数のマイクロニードルのそれぞれは、少なくとも２：１のアスペクト比を有することができる。実施形態では、複数のマイクロニードルのそれぞれは、少なくとも３：１のアスペクト比を有することができる。
【０１０６】
実施形態では、マイクロニードルアレイ中の１つのマイクロニードル又は複数のマイクロニードルは、形状によって特徴付けることができる。実施形態では、複数のマイクロニードルのそれぞれは、正四角錘形状又は皮下注射針の形状を有することができる。
【０１０７】
実施形態では、マイクロニードルアレイ中の単一のマイクロニードル又は複数のマイクロニードルは、その内部構造によっても特徴付けることができる。実施形態では、複数のマイクロニードルのそれぞれは、マイクロニードル（中空マイクロニードル）の全長に延びる空洞（例えば円筒形空洞）、マイクロニードル（一部が中空のマイクロニードル）の一部を通って延びる空洞（例えば円筒形空洞）を有することができ、又はマイクロニードル（中実のマイクロニードル）中に内部空洞がない。内部空洞は、マイクロニードルに、調合物をコーティングするための更なる表面積を付与することができ、マイクロニードル上へコーティングされることになるＡＰＩの濃度がより高くなることを可能にする場合がある。
【０１０８】
実施形態では、マイクロニードルアレイは、貼付剤の形態で皮膚表面に適用されてよい。そのような実施形態が、図２において、より詳細に示される。図２は、マイクロニードルアレイ２２、感圧接着剤２４、及び裏材２６の組み合わせの形態の貼付剤２０を備えるデバイスを図示する。そのような貼付剤２０、又は複数のマイクロニードルアレイ若しくは複数の貼付剤２０を備えるデバイスは、送達デバイスと称することができる。マイクロニードルアレイ２２の一部は、マイクロニードル１０がマイクロニードル基材１４から突出して図示される。マイクロニードル１０は、任意の所望のパターンで配置されても、又はマイクロニードル基材１４にわたってランダムに分布されてもよい。示されるように、マイクロニードル１０は、均一に間隔を空けた列で配置されている。一実施形態では、マイクロニードルアレイは、約０．１ｃｍ２よりも大きく約２０ｃｍ２よりも小さい、末端に面した表面積を有することができ、一実施形態では、約０．５ｃｍ２よりも大きく約５ｃｍ２よりも小さい、末端に面した表面積を有することができる。一実施形態では（図示せず）、貼付剤２０の基材１４の一部には、パターンが存在しない。一実施形態では、パターンの存在しない表面は、患者の皮膚表面に面するデバイス表面の総面積の約１％よりも大きく約７５％よりも小さい面積を有する。一実施形態では、パターンの存在しない表面は、約０．１０平方インチ（０．６５ｃｍ２）よりも大きく約１平方インチ（６．５ｃｍ２）よりも小さい面積を有する。別の実施形態（図２に示す）では、マイクロニードルは、実質的にアレイ２２の表面積全体にわたって配置される。
【０１０９】
一旦、水性調合物からの溶媒の少なくとも一部が蒸発すると（単一の接触工程又は複数の接触工程のいずれからであっても）、マイクロニードルアレイ上の水性調合物は、コーティング組成物と称することができる。コーティング組成物は、水性調合物からの少なくとも１種のＡＰＩを含むことができる。あるいは、コーティング組成物は、水性調合物からの少なくとも１種の賦形剤の一部、水性調合物からの溶媒（水及び任意選択の共溶媒）の一部、又はそれらの何らかの組み合わせを含むことができる。コーティングされたマイクロニードルアレイ上のコーティング組成物の含有量は、水性調合物、マイクロニードルアレイをコーティングする方法、接触させる工程の数、他の任意選択の工程、接触させる工程間の遅延の長さ及び量、リザーバから引き出す速度、本明細書で検討されない他の要因、又はそれらの何らかの組み合わせに、少なくとも部分的に依存することができる。
【０１１０】
マイクロニードルアレイは、基材に貼付されたマイクロニードルを備える。一実施形態では、組成物の少なくとも一部が、マイクロニードル上に存在する。すなわち、組成物の少なくとも一部は、マイクロニードルアレイの基材上に存在しない。一実施形態では、組成物の少なくとも５０重量％が、マイクロニードル上に存在する。一実施形態では、組成物の少なくとも７５重量％が、マイクロニードル上に存在する。一実施形態では、組成物の少なくとも９０重量％が、マイクロニードル上に存在する。
【実施例】
【０１１１】
実施例１−ＰＴＨ／Ｚｎ
７．４５％のｒｈＰＴＨ（１−３４）（Ｂａｃｈｅｍ，Ｂｕｂｅｎｄｏｒｆ，Ｓｗｉｔｚｅｒｌａｎｄから入手可能）、塩化亜鉛（０．１９％）、ヒドロキシエチルセルロース１００ｃＰ溶液（２．０７％）、スクロース（３９．８８％）及び注射用水（５０．４１％）からなるコーティング調合物を調製した。液状結晶ポリマーから作製した中実のマイクロニードルアレイを、米国特許第９，３３９，９５６号に記載の通りに調製した。アレイは、直径が１２．７ｍｍであり、高さが５００ミクロンで先端から先端が５５０ミクロン空いている、３１６本の正四角錘のニードルを有していた。アレイを、コーティング調合物中に浸して、先端がコーティングされたアレイを調製し、これは米国特許第８，７４１，３７７号に記載の通りとした。コーティングされたアレイを、ＨＰＬＣによってｒｈＰＴＨ（１−３４）の含有量について分析したところ、９３ｍｃｇ（ｎ＝６）の平均含有量を有していた。ｓＭＴＳ貼付剤を、アレイを接着剤に直径２７ｍｍ重ねて付けることにより調製した。
【０１１２】
動物試験を、皮膚の色素沈着が最小限である若く未処置のメス成獣の混血種の農業用ブタ（ヨークシャーＸ）で実施した。動物は、投与において、およそ２２〜３０キログラムと検量した。全ての動物を、貼付剤を適用する前に麻酔した。試験部位（もも）を、毛を刈り、剃り、３Ｍ  Ｂｕｆ  Ｐｕｆ及び石鹸水でこすって洗うことにより用意した。最後に、試験部位を、７０％のイソプロピルアルコール溶液に浸したガーゼパッドで清浄にし、少なくとも２分間乾燥させてから貼付剤を適用した。１つのｓＭＴＳ貼付剤を、時間０において試験部位へ適用した。貼付剤を皮膚上に１５分間保持してから取り外した。貼付剤を取り外した後に皮膚表面を拭い、皮膚表面上に残っている残渣のｒｈＰＴＨをＨＰＬＣにより求めた。適用後の添付剤上の残渣のｒｈＰＴＨも、ＨＰＬＣにより求めた。初期含有量と、皮膚及び貼付剤上に残っている残渣との差を用いて、送達した正味の送達用量６６ｍｃｇと求めた。
【０１１３】
時間０分（適用前）、２分、５分、１０分、１５分、２０分、３０分、６０分、１２０分及び１８０分において、耳静脈から採血した（１時点当たり１．５ｍＬ）。血漿サンプル容積をおよそ０．７ｍＬとした。分析前に、血漿を−７０℃で保存した。血漿サンプルを、ＥＬＩＳＡアッセイキットを用いてアッセイした。ｒｈＰＴＨ（１−３４）スタンダードをそれぞれの個々のプレート上で走らせて、プレートについての標準曲線を求めた。Ｃｍａｘにより正規化した血漿の平均レベル（ｎ＝４）を、図３に実線で示す。
【０１１４】
比較例１−ＰＴＨ
７．２２％のｒｈＰＴＨ（１−３４）（Ｂａｃｈｅｍ，Ｂｕｂｅｎｄｏｒｆ，Ｓｗｉｔｚｅｒｌａｎｄから入手可能）、ヒドロキシエチルセルロース１００ｃＰ溶液（２．００％）、スクロース（４０．７１％）及び注射用水（５０．０６％）からなるコーティング調合物を調製した。ｓＭＴＳ貼付剤を、実施例１に記載の通りに調製した。コーティングされたアレイを、ｒｈＰＴＨ（１−３４）の含有量についてＨＰＬＣにより分析したところ、平均含有量６６ｍｃｇ（ｎ＝６）を有していた。正味の送達用量は５６ｍｃｇであった。動物試験及び分析を、実施例１に記載の通りに実施した。Ｃｍａｘにより正規化した血漿の平均レベル（ｎ＝３）を、図３に点線で示す。
【０１１５】
実施例２−ｒｈＧＨ／Ｚｎ
１．３％のｒｈＧＨ（ＰｒｏＳｐｅｃ−Ｔａｎｙ  ＴｅｃｈｎｏＧｅｎｅ  Ｌｔｄ．，Ｎｅｓｓ  Ｚｉｏｎａ、Ｉｓｒａｅｌから入手可能）、塩化亜鉛（０．０１４％）、ヒドロキシエチルセルロース１００ｃＰ溶液（２．４％）、スクロース（３９．８５％）及び注射用水（５６．４％）からなるコーティング調合物を調製した。液状結晶ポリマーから作製した中実のマイクロニードルアレイを、米国特許第９，３３９，９５６号に記載の通りに調製した。アレイは、直径が１２．７ｍｍであり、高さが５００ミクロンで先端から先端が５５０ミクロン空いている、３１６本の正四角錘のニードルを有していた。アレイを、コーティング調合物中に浸して、先端がコーティングされたアレイを調製し、これは米国特許第８，７４１，３７７号に記載の通りとした。コーティングされたアレイを、ｒｈＧＨの含有量についてＨＰＬＣにより分析したところ、平均含有量１．８ｍｃｇ（ｎ＝６）を有していた。６つの貼付剤を１回用量として各ブタに適用し、総用量１０．５ｍｃｇとした。ｓＭＴＳ貼付剤を、アレイを接着剤に直径２７ｍｍで重ねて付けることにより調製した。
【０１１６】
動物試験を、皮膚の色素沈着が最小限である若く未処置のメス成獣の混血種の農業用ブタ（ヨークシャーＸ）で実施した。動物は、投与において、およそ２２〜３０キログラムと検量した。全ての動物を、貼付剤を適用する前に麻酔した。試験部位（もも）を、毛を刈り、剃り、３Ｍ  Ｂｕｆ  Ｐｕｆ及び石鹸水でこすって洗うことにより用意した。最後に、試験部位を、７０％のイソプロピルアルコール溶液に浸したガーゼパッドで清浄にし、少なくとも２分間乾燥させてから貼付剤を適用した。１つのｓＭＴＳ貼付剤を、時間０において６つの試験部位のそれぞれへ適用した。貼付剤を皮膚上に３０分間保持してから取り外した。貼付剤を取り外した後に、皮膚表面を拭い、皮膚表面上に残っている残渣のｒｈＰＴＨをＨＰＬＣにより求めた。適用後の添付剤上の残渣のｒｈＰＴＨも、ＨＰＬＣにより求めた。初期含有量と、皮膚及び貼付剤上に残っている残渣との差を用いて、正味の送達用量１０．０ｍｃｇを求めた。
【０１１７】
時間０分（適用前）、１０分、２０分、３０分、４０分、５０分、６０分、９０分、１２０分、１８０分、３００分及び４２０分において、耳静脈から採血した（１時点当たり１．５ｍＬ）。血漿サンプル容積をおよそ０．７ｍＬとした。分析前に、血漿を−７０℃で保存した。血漿サンプルを、ＥＬＩＳＡアッセイキットを用いてアッセイした。ｒｈＧＨ（１−３４）スタンダードをそれぞれの個々のプレート上で走らせて、そのプレートについての標準曲線を求めた。Ｃｍａｘにより正規化した血漿の平均レベル（ｎ＝４）を、図Ｂ４に実線で示す。
【０１１８】
比較例１−ｒｈＧＨ
１．３％のｒｈＧＨ（ＰｒｏＳｐｅｃ−Ｔａｎｙ  ＴｅｃｈｎｏＧｅｎｅ  Ｌｔｄ．，Ｎｅｓｓ  Ｚｉｏｎａ，Ｉｓｒａｅｌから入手可能）、ヒドロキシエチルセルロース１００ｃＰ溶液（２．３％）、スクロース（４０．０％）及び注射用水（５６．５％）からなるコーティング調合物を調製した。ｓＭＴＳ貼付剤を、実施例２に記載の通りに調製した。コーティングされたアレイを、ｒｈＧＨの含有量についてＨＰＬＣにより分析したところ、平均含有量１．８ｍｃｇ（ｎ＝６）を有していた。６つの貼付剤を１回用量として各ブタに適用し、総用量は１１．０ｍｃｇとした。正味の送達用量は１０．７ｍｃｇとした。動物試験及び分析を、実施例１に記載の通りに実施した。Ｃｍａｘにより正規化した血漿の平均レベル（ｎ＝４）を、図４に点線で示す。
【０１１９】
コーティングされたマイクロニードルアレイのための亜鉛組成物の様々な実施形態を開示する。当業者であれば、本開示が、開示されている実施形態以外の実施形態で実践できることを理解するであろう。開示された実施形態は、説明を目的として提示されるものであって、限定を目的として提示されるものではなく、本開示は以下の「特許請求の範囲」によってのみ限定されるものである。
【図１】
2018531697.tif 000003
【図２】
2018531697.tif 000004
【図３】
2018531697.tif 000005
【図４】
2018531697.tif 000006
【国際調査報告】
2018531697.tif 000007
2018531697.tif 000008